(57)【特許請求の範囲】
【請求項１】
窓部の室内側に取り付けられるルーバー装置であって、平板２枚にそれぞれ長尺帯状の開口を複数並設させてガラリルーバーとなし、この２枚のガラリルーバーを重ねるようにして上下に配置し、スライドさせることで光の入射量を変化させてなることを特徴とするルーバー装置であって、下位に位置するガラリルーバーの上面に入射光を一旦反射させてから、上位に位置するガラリルーバーの下面で反射させて上記室内に入射するようになし、該ガラリルーバーのうち上位のガラリルーバーを上下駆動させ、下位のガラリルーバーを左右駆動させるようになし、さらにガラリルーバーの長尺帯状の開口の総面積を上記窓部の開口面積に対して略１／２とするとともに、一方のガラリルーバーの開口を他方のガラリルーバーで閉塞できるようにそれぞれのガラリルーバーの開口を形成してなることを特徴とするルーバー装置。
【請求項２】
上記ガラリルーバーが、光を拡散しやすいように光拡散処理を施したものであって、表面に凹凸加工するものであることを特徴とする請求項１記載のルーバー装置。
【発明の詳細な説明】
【０００１】
【発明の属する技術分野】
本発明は、ルーバー装置に関し、具体的には、玄関ホールや天井裏部屋や寝室などの窓部に設けるのに有用なルーバー装置に関するものである。
【０００２】
【従来の技術】
従来のルーバー装置としては、図５に示すように、例えば、玄関ホールや天井裏部屋や寝室などの窓部（１１）に太陽からの自然光を取り入れることができるように取り付けた複数のルーバー羽根（１３）を設けたもの、いわゆる、ブラインド付きの窓であり、このブラインド付きの窓が広く用いられていたものであった。
【０００３】
具体的には、窓部（１１）にアルミニウム製のフレーム（１６）を取り付けるとともに、このフレーム（１６）の開口にペアガラス（１７）を設け、このペアガラス（１７）の内側、すなわち、上記窓部（１１）の室内側に略平行に配置された複数のルーバー羽根（１３）があって、この各々のルーバー羽根（１３）が中心部を回転軸（１２）として回転自在に取り付けられているものであった。
【０００４】
【発明が解決しようとする課題】
しかしながら、このようなルーバー装置においては、室内に光を取り込む場合は、図５の矢印ａに示すごときルーバー羽根（１３）とルーバー羽根（１３）との隙間から直接太陽光が室内に入射するようになされているものであり、外界の眺望も良く、換気や通風もこの場合になされるものであるが、特に天井裏部屋や寝室などの室内において、夏場など夕日の光が眩しかったり、直接太陽光が室内に入って光が強すぎるといった問題が生じていたものであった。
【０００５】
本発明は、上述の事実に鑑みてなされたものであって、その目的とするところは、換気や通風や外界の眺望を良好に維持しつつ、室内に眩しくないやわらかい光を取り込むことができるルーバー装置を提供することにある。
【０００６】
【課題を解決するための手段】
本発明の請求項１に係るルーバー装置は、窓部の室内側に取り付けられるルーバー装置であって、平板（１）２枚にそれぞれ長尺帯状の開口（２）を複数並設させてガラリルーバー（３）となし、この２枚のガラリルーバー（３）を重ねるようにして上下に配置し、スライドさせることで光の入射量を変化させてなることを特徴とするルーバー装置であって、下位に位置するガラリルーバー（３ａ）の上面に入射光を一旦反射させてから、上位に位置するガラリルーバー（３ｂ）の下面で反射させて上記室内に入射するようになし、該ガラリルーバー（３）のうち上位のガラリルーバー（３ａ）を上下駆動させ、下位のガラリルーバー（３ｂ）を左右駆動させるようになし、さらにガラリルーバー（３）の長尺帯状の開口（２）の総面積を上記窓部の開口面積に対して略１／２とするとともに、一方のガラリルーバー（３）の開口を他方のガラリルーバー（３）で閉塞できるようにそれぞれのガラリルーバー（３）の開口（２）を形成してなることを特徴とする。
【０００７】
本発明の請求項２に係るルーバー装置は、上記ガラリルーバー（３）が、光を拡散しやすいように光拡散処理を施したものであって、表面に凹凸加工するものであることを特徴とする。
【００１２】
【発明の実施の形態】
以下、本発明を実施形態に係る図面に基いて詳しく説明する。
【００１３】
図１は、本発明の一実施形態に係るルーバー装置を示した概略図である。図２は、本発明のルーバー装置に用いられる一実施形態に係るガラリルーバーを示した上面図である。図３は、本発明の一実施形態に係るルーバー装置において、全閉状態を示した概略図である。図４は、本発明の一実施形態に係るルーバー装置において、全開状態を示した概略図である。
【００１４】
本発明のルーバー装置は、図１ないし図４に示すごとく、窓部の室内側に取り付けられるルーバー装置であって、平板（１）２枚にそれぞれ長尺帯状の開口（２）を複数並設させてガラリルーバー（３）となし、この２枚のガラリルーバー（３）を重ねるようにして上下に配置し、スライドさせることで光の入射量を変化させてなっているものである。
【００１５】
上記窓部は、玄関ホールや天井裏部屋や寝室などに開口させて設けられているものである。そして、この窓部には、例えば、アルミニウムや鉄などの金属製やこのような金属と同等の強度が得られる樹脂製などのフレームを取り付けるとともに、このフレームの開口に一対のガラス板からなるペアガラスを設けているものである。この窓部のサイズは、室内に取り込みたい光の量などに応じて、自由自在に設定することができるものである。本発明のルーバー装置は、このような窓部の室内側に取り付けられるものである。
【００１６】
上記平板（１）は、例えば、図２に示すごとく、外形長方形状ないしは正方形状をしているものであって、２枚設けられているものである。この平板（１）のサイズは、上記窓部のサイズに応じて、自由自在に設定されるものである。この平板（１）の厚さは、厚くても薄くてもかまわず、特に制限されるものではないが、ルーバー装置としてのある程度の強度が維持されている必要があるものである。このような平板（１）としては、アルミニウムや鉄などの金属製やこのような金属と同等の強度が得られる樹脂製などの不透明な剛性により形成されているものである。
【００１７】
上記開口（２）は、図２に示すごとく、長尺帯状のものであって、しかも、上記２枚の平板（１）のそれぞれに設けられているものである。そして、この開口（２）は、複数並設させているものであり、具体的には、同図２に示すごとき平行に等間隔に配置されているものである。
【００１８】
上記ガラリルーバー（３）は、図１ないし図４に示すごとく、上記平板（１）にそれぞれ長尺帯状の開口（２）を複数並設させていることで形成されているものである。本発明では、このガラリルーバー（３）は、２枚配置されているものであって、この２枚のガラリルーバー（３）を重ねるようにして上下に配置し、スライドさせることで光の入射量を変化させてなっているものである。このガラリルーバー（３）は、例えば、送りネジなどのような２つの直線力伝達機構により、それぞれが独立して直線往復駆動するようになっているものである。
【００１９】
本発明は、このような構成をとることによって、平板（１）に長尺帯状の開口（２）を複数並設させるだけで簡単にガラリルーバー（３）を形成することができるとともに、このような２枚のガラリルーバー（３）を重ねるようにして上下に配置し、スライドさせるだけで、ガラリルーバー（３）の方へ入射してきた光や風が調節することができて、結果として、特に天井裏部屋や寝室などの室内において、夏場など夕日の光が眩しかったり、直接太陽光が室内に入って光が強すぎるといった問題を確実に解消することができるものである。しかも、通気や換気、または外界の眺望を良くしたい場合には、ガラリルーバー（３）どうしの間を広げるようにスライドさせれば簡単にできるものである。
【００２０】
すなわち、本発明は、換気や通風や外界の眺望を良好に維持しつつ、室内に眩しくないやわらかい光を取り込むことができるものである。
【００２１】
特に、上記スライドが、図１の鉛直方向の上下駆動と図１の水平方向の左右駆動とのうち、いずれか一方または両方であると、このようなスライドにより、ガラリルーバー（３）どうしの位置関係を微妙に調整することができるので、光の入射量をより一層確実に変化させることができるものとなり、その結果として、換気や通風や外界の眺望をより一層良好に維持しつつ、室内に眩しくないやわらかい光を確実に取り込むことができるものである。
【００２２】
図１に示す場合であると、矢印Ｄのような図１の鉛直方向の上下駆動もできるものであるし、また、矢印Ｅのような図１の水平方向の左右駆動もできるものであり、このような鉛直方向の上下駆動と水平方向の左右駆動との両方のスライドにより、ガラリルーバー（３）どうしの位置関係を微妙に調整することができるので、光の入射量をより一層確実に変化させることができるものである。
【００２３】
そして、図１に示す場合、上記ガラリルーバー（３）のうち、下位に位置するガラリルーバー（３ａ）が図１の水平方向の左右駆動をすることができるようになっていて、同ガラリルーバー（３）のうち、上位に位置するガラリルーバー（３ｂ）が図１の鉛直方向の上下駆動をすることができるようになっていてもかまわないものである。このとき、下位に位置するガラリルーバー（３ａ）が図１の水平方向の左右駆動をすることで通気や換気、または外界の眺望を良くするようにでき、上位に位置するガラリルーバー（３ｂ）が図１の鉛直方向の上下駆動をすることで２枚のガラリルーバー（３）間の距離が変化して光の入射量を直に調整することができるものである。
【００２４】
また、図２に示すごとく、上記長尺帯状の開口（２）の総面積が、上記窓部の開口面積に対して略１／２であると、２枚のガラリルーバー（３）どうしをスライドさせるだけで、窓部の開口面積に対して略１／２である長尺帯状の開口（２）の総面積にて全開と全閉のいずれの状態も他の開口（２）の総面積の場合よりも確実に達成することができるものとなり、結果として、使用者は図４に示すごとき全開状態や図３に示すごとき全閉状態を含めたあらゆる状態に２枚のガラリルーバー（３）どうしのスライドだけで行うことができるものとなる。すなわち、光の入射量をより一層簡単、かつ、確実に変化させることができるものである。
【００２５】
なお、図３に示すごとく、全閉状態にすると、ガラリルーバー（３）にて確実に遮光できて、室内に風や光などを入れたくない場合には好ましいものであり、図４に示すごとく、全開状態にすると、矢印Ｆに示したようにガラリルーバー（３）の方へ入射してきた光や風が、確実に通りぬけて室内に入ってくるので、通気や換気、または外界の眺望を良くするようにできて、このように通気や換気、または外界の眺望を良くしたい場合には好ましいものである。
【００２６】
さらに、図１に示すごとく、上記ガラリルーバー（３）のうち、下位に位置するガラリルーバー（３ａ）の上面に入射光を一旦反射させてから、上位に位置するガラリルーバー（３ｂ）の下面で反射させて上記室内に入射させてなっているものであると、ガラリルーバー（３）の方へ入射してきた光が、確実に各方向へ反射されながら、そのうちのいくらかの光がガラリルーバー（３）を通りぬけて、室内に入射されてくるので、同室内には眩しくないやわらかい光をより一層確実に取り込むことができるものとなる。
【００２７】
具体的には、図１に示すごとく、矢印Ａのようにガラリルーバー（３）の方へ入射してきた光が、下位に位置するガラリルーバー（３ａ）の上面に入射光を一旦矢印Ｂのように反射させてから、上位に位置するガラリルーバー（３ｂ）の下面で矢印Ｃのように反射させて室内に入射させるものであり、このようにして、いくらかの光がガラリルーバー（３）を通りぬけて、室内に入射されてくるために、室内には眩しくないやわらかい光をより一層確実に取り込むことができるものとなる。また、ガラリルーバー（３）での光の反射の際に、いくらか光が拡散されていることは言うまでもないことである。
【００２８】
そして、上記ガラリルーバー（３）が、光を拡散しやすいように光拡散処理を施したものであると、光を拡散しやすいように光拡散処理を施したガラリルーバー（３）の方へ入射してきた光が、確実に各方向へ拡散されながら、そのうちのいくらかの光がガラリルーバー（３）を通りぬけて、室内に入射されてくるので、同室内には眩しくないやわらかい光をより一層確実に取り込むことができるものとなる。
【００２９】
なお、上記光拡散処理が、上記ガラリルーバー（３）の表面に凹凸加工するものであると、このようなガラリルーバー（３）の表面に凹凸加工する光拡散処理にてより一層簡単、かつ、確実にガラリルーバー（３）を光が拡散しやすいようになされるものであり、非常に好ましいものである。
【００３０】
具体的には、上記表面に凹凸加工する方法としては、特に制限されるものではないものであるが、例えば、シボや研磨などによってなされるものである。
【００３１】
ところで、上述のごとく、上記ガラリルーバー（３）が、光を拡散しやすいようになされている際に、同ガラリルーバー（３）のうち、下位に位置するガラリルーバー（３ａ）の上面に入射光を一旦反射させてから、上位に位置するガラリルーバー（３ｂ）の下面で反射させて室内に入射させるものであると、ガラリルーバー（３）の方へ入射してきた光が、より一層確実に各方向へ反射や拡散されながら、そのうちのいくらかの光がガラリルーバー（３）を通りぬけて、室内に入射されてくるので、同室内には眩しくないやわらかい光をより一層確実に取り込むことができるものとなる。
【００３２】
本発明のルーバー装置によると、図１ないし図４に示すごとく、窓部の室内側に取り付けられるルーバー装置であって、平板（１）２枚にそれぞれ長尺帯状の開口（２）を複数並設させてガラリルーバー（３）となし、この２枚のガラリルーバー（３）を重ねるようにして上下に配置し、スライドさせることで光の入射量を変化させてなるので、平板（１）に長尺帯状の開口（２）を複数並設させるだけで簡単にガラリルーバー（３）を形成することができるとともに、このような２枚のガラリルーバー（３）を重ねるようにして上下に配置し、スライドさせるだけで、ガラリルーバー（３）の方へ入射してきた光や風が調節することができて、結果として、特に天井裏部屋や寝室などの室内において、夏場など夕日の光が眩しかったり、直接太陽光が室内に入って光が強すぎるといった問題を確実に解消することができるものである。しかも、通気や換気、または外界の眺望を良くしたい場合には、ガラリルーバー（３）どうしの間を広げるようにスライドさせれば簡単にできるものである。
【００３３】
すなわち、本発明は、換気や通風や外界の眺望を良好に維持しつつ、室内に眩しくないやわらかい光を取り込むことができるものである。
【００３４】
【発明の効果】
本発明の請求項１に係るルーバー装置によると、平板（１）に長尺帯状の開口（２）を複数並設させるだけで簡単にガラリルーバー（３）を形成することができるとともに、下位に位置するガラリルーバー（３ａ）の上面に入射光を一旦反射させてから、上位に位置するガラリルーバー（３ｂ）の下面で反射させて上記室内に入射するようになし、該ガラリルーバー（３）のうち上位のガラリルーバー（３ａ）を上下駆動させ、下位のガラリルーバー（３ｂ）を左右駆動させるようになし、さらにガラリルーバー（３）の長尺帯状の開口（２）の総面積を上記窓部の開口面積に対して略１／２とするとともに、一方のガラリルーバー（３）の開口（２）を他方のガラリルーバー（３）で閉塞できるようにそれぞれのガラリルーバー（３）の開口（２）を形成したことで、このような２枚のガラリルーバー（３）を重ねるようにして上下に配置し、スライドさせるだけで、ガラリルーバー（３）の方へ入射してきた光や風が調節することができて、結果として、特に天井裏部屋や寝室などの室内において、夏場など夕日の光が眩しかったり、直接太陽光が室内に入って光が強すぎるといった問題を確実に解消することができるものである。しかも、通気や換気、または外界の眺望を良くしたい場合には、ガラリルーバー（３）どうしの間を広げるようにスライドさせれば簡単にできるものである。
【００３５】
また、ガラリルーバー（３）どうしの位置関係を微妙に調整することができるので、光の入射量をより一層確実に変化させることができるものとなり、その結果として、換気や通風や外界の眺望をより一層良好に維持しつつ、室内に眩しくないやわらかい光を確実に取り込むことができるものである。
【００３６】
また、２枚のガラリルーバー（３）どうしをスライドさせるだけで、窓部の開口面積に対して略１／２である長尺帯状の開口（２）の総面積にて全開と全閉のいずれの状態も他の開口（２）の総面積の場合よりも確実に達成することができるものとなり、結果として、使用者は全開状態や全閉状態を含めたあらゆる状態に２枚のガラリルーバー（３）どうしのスライドだけで行うことができ るものとなる。すなわち、光の入射量をより一層簡単、かつ、確実に変化させることができるものである。
【００３７】
ガラリルーバー（３）の方へ入射してきた光が、確実に各方向へ反射されながら、そのうちのいくらかの光がガラリルーバー（３）を通りぬけて、室内に入射されてくるので、同室内には眩しくないやわらかい光をより一層確実に取り込むことができるものとなる。
【００３８】
本発明の請求項２に係るルーバー装置によると、請求項１記載の場合に加えて、光を拡散しやすいように光拡散処理を施したガラリルーバー（３）の方へ入射してきた光が、確実に各方向へ拡散されながら、そのうちのいくらかの光がガラリルーバー（３）を通りぬけて、室内に入射されてくるので、同室内には眩しくないやわらかい光をより一層確実に取り込むことができるものとなる。
【図面の簡単な説明】
【図１】本発明の一実施形態に係るルーバー装置を示した概略図である。
【図２】本発明のルーバー装置に用いられる一実施形態に係るガラリルーバーを示した上面図である。
【図３】本発明の一実施形態に係るルーバー装置において、全閉状態を示した概略図である。
【図４】本発明の一実施形態に係るルーバー装置において、全開状態を示した概略図である。
【図５】一従来例に係るルーバー装置を示した概略図である。
【符号の説明】
１    平板
２    開口
３    ガラリルーバー
３ａ  下位に位置するガラリルーバー
３ｂ  上位に位置するガラリルーバー
【図１】
0003580234.tif 000002
【図２】
0003580234.tif 000003
【図３】
0003580234.tif 000004
【図４】
0003580234.tif 000005
【図５】
0003580234.tif 000006